(57)【要約】【課題】  評価システムにおいて、評価者が評価情報を随時記録すること。【解決手段】  無線ＩＤタグ２にタグ識別情報１０を記録しておき、携帯端末３は無線ＩＤタグ２に記録されるタグ識別情報１０を取得し、このタグ識別情報１０により評価対象者を特定し、さらに、携帯端末３において評価情報１３を入力し、タグ識別情報１０と共に評価情報１０を記録することによって、評価者による評価情報の随時記録を行う。携帯端末は、評価情報を入力する入力手段と、無線ＩＤタグとの間の送受信によって当該無線ＩＤタグからタグ識別情報を受信する第１通信手段と、サーバとの間の送受信によってタグ識別情報及び評価情報の送信を行う第２通信手段を有する。【選択図】  図１
2005149356.tif 000002
【特許請求の範囲】
【請求項１】
評価情報を記録するデータベースを有するサーバと、
評価情報を入力する入力手段、無線ＩＤタグとの間の送受信によって当該無線ＩＤタグからタグ識別情報を受信する第１通信手段、サーバとの間の送受信によって前記タグ識別情報及び評価情報の送信を行う第２通信手段を有する携帯端末とを備え、
前記サーバは、携帯端末から送られた評価情報をタグ識別情報及び／又は当該タグ識別情報に基づく個人識別情報と関連付けてデータベースに記録することを特徴とする評価システム。
【請求項２】
前記第２通信手段は、評価情報と共にタグ識別情報をサーバに送信することを特徴とする請求項１に記載の評価システム。
【請求項３】
前記第２通信手段は、評価情報と共に携帯端末を特定する端末識別情報及び／又は評価者を特定する評価者識別情報をサーバに送信することを特徴とする請求項１に記載の評価システム。
【請求項４】
タグ識別情報と評価情報を記録する無線ＩＤタグと、
評価情報を記録するデータベースを有するサーバと、
評価情報を入力する入力手段、無線ＩＤタグとの間の送受信によってタグ識別情報の受信及び評価情報の送信を行う第１通信手段を有する携帯端末とを備え、
前記携帯端末は入力手段で入力された評価情報を第１通信手段により無線ＩＤタグに書き込み、
前記サーバは、無線ＩＤタグから読み出された評価情報をタグ識別情報及び／又は当該タグ識別情報に基づく個人識別情報と関連付けてデータベースに記録することを特徴とする評価システム。
【請求項５】
前記第１通信手段は、評価情報と共に携帯端末を特定する端末識別情報及び／又は評価者を特定する評価者識別情報を無線ＩＤタグに送信することを特徴とする請求項４に記載の評価システム。
【請求項６】
前記無線ＩＤタグとの間で情報の読み出し及び／又は書き込みを行うリーダライタを備え、
前記サーバは前記リーダライタから情報を読み込む第３通信手段を備え、当該第３通信手段を介して前記無線ＩＤタグに記録される情報を取得することを特徴とする請求項５に記載の評価システム。
【請求項７】
前記リーダライタは、無線ＩＤタグから情報を読み出した後、無線ＩＤタグから読み出した情報について無線ＩＤタグのデータを削除する書き込み処理を行うことを特徴とする請求項６に記載の評価システム。
【請求項８】
前記第１通信手段は、タグ識別情報の受信を、常時又は携帯端末の要求に基づいて行うことを特徴とする請求項１乃至７の何れか一つに記載の評価システム。
【請求項９】
前記携帯端末は表示手段を備え、評価情報を入力する入力画面を表示することを特徴とする請求項１乃至請求項８の何れか一つに記載の評価システム。
【請求項１０】
前記第２通信手段はタグ識別情報をサーバに送信し、当該タグ識別情報に基づいてデータベースから読み出した評価情報を受信し、
前記表示手段は受信した評価情報を表示することを特徴とする請求項１乃至請求項８の何れか一つに記載の評価システム。
【請求項１１】
前記サーバは端末識別情報又は評価者識別情報による認証に基づいて評価情報をデータベースに記録することを特徴とする請求項１乃至請求項１０の何れか一つに記載の評価システム。
【発明の詳細な説明】
【技術分野】
【０００１】
本発明は、社員や所員等の関係者の評価を行うシステムに関する。
【背景技術】
【０００２】
社員、所員、職員、局員、会員、スタッフなど何らかの関係で結びつけられている集りにおいて、その者がその集りに関係する者である否かを確認するために、各人に対して会社であれば社員証や名札等を視認可能な部分に携行させている。
【０００３】
確認者は、社員証や名札等に表記された氏名、顔写真、社員番号等を視認することにより、その所有者が関係者であるかの有無を確認している。
【０００４】
また、従来より社員証、会員証、学生証、運転免許証、パスポートなど、身分を証明するものとしてＩＤカードも知られている。このＩＤカードには、所有者を特定するために、顔写真，ＩＤ番号，住所、氏名、年齢、所属等を含む個人情報が直接印刷される他、内蔵メモリにこれらデータが記録され、必要に応じて読み出すことができる。（例えば、特許文献１，２参照）
【特許文献１】特開２００３−５８８２９号公報
【特許文献２】特開平９−２７７６１号公報
【発明の開示】
【発明が解決しようとする課題】
【０００５】
オフィス等において、管理者等の評価者が社員等の評価対象者の評価を行う場合には、評価者は評価管理簿に評価を記入したり、端末から管理データベースに評価を記録するといった処理を行っている。この評価の記録は評価管理簿が管理される場所や端末の設置場所で行う必要があるため、評価者は複数の評価対象者の評価をまとめて記録するのが一般的であり、評価を行う毎に随時行うことはできない。
【０００６】
そのため評価者は、社員等の評価をまとめて記録することになり、評価判定を行った時点から記録までの間に時間が経過することになり、評価内容が変化したり記録をし忘れるなど、迅速性や確実性や公平性の点で安定した評価が望めないという問題がある。そのため、評価情報の記録を随時に行える評価システムが望まれている。
【０００７】
また、管理者が評価を行うには、評価対象者を確認する必要があるが、管理者が評価対象者を全て認識し記憶しているとは限らない。一般に、オフィス等において、顔見知りでない者が関係者であるか否かを確認するには、携行している社員証等を視認しなければならず、詳細な個人情報を即座に取得することは困難である。また、社員証が確認できない場合や社員証を携行していない場合には、関係者か否かを確認することは困難である。
【０００８】
また、ＩＤカードによる場合には、ＩＤカードに電子的に記録されている個人情報を読み出すために専用のデータ読み取り装置が必要であり、データ読み取り装置が設置されていない場所では個人情報を取得することができない。
【０００９】
また、関係者か否かの確認を当事者に知られることなく行う必要がある場合もあるが、従来のように携行する社員証の視認やＩＤカードの読み取りによる方法では、確認を要する者に知られることなく個人情報を取得して確認することは困難である。このような、評価対象者の確認が困難な状況においては、評価情報の記録を随時行うことはより一層困難である。
【００１０】
そこで、本発明は、前記した課題を解決して、評価システムにおいて、評価者が評価情報を随時記録することができることを目的とする。
【００１１】
また、評価対象者が関係者か否かの確認や個人情報の取得を迅速に行うことを目的とする。
【００１２】
また、評価対象者が関係者か否かの確認や評価の記録を当事者に知られることなく行うことを目的とする。
【課題を解決するための手段】
【００１３】
本発明の評価システムは、無線ＩＤタグにタグ識別情報を記録しておき、携帯端末は無線ＩＤタグに記録されるタグ識別情報を取得し、このタグ識別情報により評価対象者を特定し、さらに、携帯端末において評価情報を入力し、タグ識別情報と共に評価情報を記録することによって、評価者による評価情報の随時記録を行う。
【００１４】
また、データベースに顔写真，ＩＤ番号，住所、氏名、年齢、所属等を含む個人情報をタグ識別情報と関連付けて記録しておき、タグ識別情報を検索キーとしてデータベースから個人情報を取得し関係者か否かの確認を迅速に行うことができる。この個人情報の取得は、無線ＩＤタグからのタグ識別情報の取得により行い当事者により何らの操作も要さないため、当事者に知られることなく行うこともできる。
【００１５】
無線ＩＤタグにはその無線ＩＤタグを識別するタグ識別情報が記録され、そのタグ識別情報は各関係者と対応付けられている。無線ＩＤタグは例えば社員証等の携行品に取り付けられ、各関係者はこの携行品を所持する。
【００１６】
本発明の評価システムの第１の形態は、サーバと携帯端末とから構成される。サーバは、評価情報を記録するデータベースを有する。一方、携帯端末は、評価情報を入力する入力手段と、無線ＩＤタグとの間の送受信によって当該無線ＩＤタグからタグ識別情報を受信する第１通信手段と、サーバとの間の送受信によってタグ識別情報及び評価情報の送信を行う第２通信手段を有する。
【００１７】
携帯端末の第１通信手段は、評価対象者が保持する無線ＩＤタグに記録されているタグ識別情報を取得、第２通信手段は取得したタグ識別情報と共に評価者が設定した評価情報をサーバに送る。
【００１８】
サーバは、携帯端末から送られた評価情報をタグ識別情報及び／又はタグ識別情報に基づく個人識別情報と関連付けてデータベースに記録する。サーバは、携帯端末から送られたタグ識別情報に基づいてデータベースから関係者情報を読み出して携帯端末に送り、この関係者情報により関係者確認を行うことができる。
【００１９】
第１の形態によれば、評価対象者が保持する無線ＩＤタグに記録されるタグ識別情報によって評価対象者を特定することができ、このタグ識別情報と共に評価情報をサーバに送ることによって、評価記録用の端末からデータベースにアクセスすることなく、評価情報を随時記録することができる。
【００２０】
携帯端末が備える第２通信手段は、評価情報と共にタグ識別情報をサーバに送信し、サーバは評価情報をタグ識別情報と共に記録する。
【００２１】
タグ識別情報をそのタグ識別情報が付された無線ＩＤタグの所有者と一対一で対応付けておくことにより、タグ識別情報を共通項として評価情報と評価対象者とを対応付けすることができる。したがって、サーバは、携帯端末から送られた評価情報とタグ識別情報とを記録することにより、評価情報を評価対象者と関連付けて記録することができる。
【００２２】
また、携帯端末が備える第２通信手段は、評価情報と共に携帯端末を特定する端末識別情報及び／又は評価者を特定する評価者識別情報をサーバに送信し、サーバは評価情報を端末識別情報又は評価者識別情報あるいは両情報と共に記録する。
【００２３】
端末識別情報をその端末識別情報が付された携帯端末の所有者と一対一で対応付けておくことにより、端末識別情報を共通項として評価情報と評価者とを対応付けすることができる。したがって、サーバは、携帯端末から送られた評価情報と端末識別情報とを記録することにより、評価情報を評価者とを関連付けて記録することができる。
【００２４】
また、評価識別情報は評価者と一対一で対応付けられるものであるから、評価識別情報を共通項として評価情報と評価者とを対応付けすることができる。したがって、サーバは、携帯端末から送られた評価情報と評価識別情報とを記録することにより、評価情報と評価者とを関連付けて記録することができる。
【００２５】
本発明の評価システムの第２の形態は、無線ＩＤタグとサーバと携帯端末とから構成され、携帯端末で書き込んだ評価情報を無線ＩＤタグを介してサーバに送る形態である。
【００２６】
無線ＩＤタグは、固有に設定されたタグ識別情報を記録しており、携帯端末から送られた評価情報を記録する。
【００２７】
サーバは、評価情報を記録するデータベースを有する。また、携帯端末は、評価情報を入力する入力手段と、無線ＩＤタグとの間の送受信によってタグ識別情報の受信及び評価情報の送信を行う第１通信手段を有する。
【００２８】
携帯端末は入力手段によって評価情報を入力し、入力した評価情報を第１通信手段により無線ＩＤタグに書き込む。一方、サーバは、無線ＩＤタグに記録される評価情報を読み出し、読み出した評価情報を同じく無線ＩＤタグに記録されているタグ識別情報及び／又はタグ識別情報に基づく個人識別情報と関連付けてデータベースに記録する。
【００２９】
第２の形態によれば、評価対象者が保持する無線ＩＤタグに記録されるタグ識別情報によって評価対象者を特定することができ、このタグ識別情報と共に評価情報をサーバに送ることによって、評価記録用の端末からデータベースにアクセスすることなく、評価情報を随時記録することができる。また、携帯端末はサーバにアクセスする必要がないため、携帯端末とサーバとを接続する構内ＬＡＮ等の設備を備えない場所においても適用することができる。
【００３０】
携帯端末が備える第１通信手段は無線ＩＤタグに評価情報を送る通信手段であり、評価情報と共に携帯端末を特定する端末識別情報や評価者を特定する評価者識別情報を無線ＩＤタグに送信する。サーバは、無線ＩＤタグから取得した評価情報を端末識別情報又は評価者識別情報あるいは両情報と共に記録する。
【００３１】
端末識別情報をその端末識別情報が付された携帯端末の所有者と一対一で対応付けておくことにより、端末識別情報を共通項として評価情報と評価者とを対応付けすることができる。したがって、第２の形態においても、サーバは、無線ＩＤタグから送られた評価情報と端末識別情報とを記録することにより、評価情報を評価者とを関連付けて記録することができる。
【００３２】
また、評価識別情報は評価者と一対一で対応付けられるものであるから、評価識別情報を共通項として評価情報と評価者とを対応付けすることができる。したがって、サーバは、無線ＩＤタグから送られた評価情報と評価識別情報とを記録することにより、評価情報と評価者とを関連付けて記録することができる。
【００３３】
第２の形態は、無線ＩＤタグに記録された評価情報の読み出しを、所定位置に設置したリーダライタにより行うことができる。リーダライタは、無線ＩＤタグとの間で情報の読み出し及び／又は書き込みを行う装置である。サーバはリーダライタから情報を読み込む第３通信手段を備え、この第３通信手段を介して無線ＩＤタグに記録される情報を取得する。
【００３４】
また、リーダライタは、無線ＩＤタグから情報を読み出した後、無線ＩＤタグから読み出した情報について無線ＩＤタグのデータを削除する書き込み処理を行うことができる。これにより、記録容量に制限がある無線ＩＤタグであっても、複数回の評価情報の記録に対応することができる。
【００３５】
また、リーダライタは、評価対象者が通過する所定箇所に設定し、当該位置を通過するときに評価情報の読み出しを行うことができる。したがって、リーダライタを社員が必ず通過するゲート等の所定位置に設置することにより、退社時等には必ず評価情報を無線ＩＤタグから取り出すことができる。また、リーダライタの設置個所を限定することができるため、評価システムの設置コストを低下させることができる他、構内ＬＡＮ等の施設がない場所であっても適用することができる。
【００３６】
上記した本発明の第１の形態及び第２の形態に共通する態様として、携帯端末の第１通信手段はタグ識別情報の受信を常時行う他、携帯端末が要求したときにのみ受信を行うこともできる。
【００３７】
携帯端末からの要求に基づいて行う場合には、携帯端末からの要求信号を受信し、この要求信号を受けてタグ識別情報を携帯端末に送る。また、無線ＩＤタグから常にタグ識別情報が送信されている場合には、携帯端末はこの無線ＩＤタグから送信されるタグ識別情報を受信する。
【００３８】
また、本発明の第１の形態及び第２の形態の携帯端末は表示手段を備え、この表示手段に評価情報を入力するための入力画面を表示し、入力画面に従って評価情報の入力操作を行う。
【００３９】
携帯端末の第２通信手段はタグ識別情報をサーバに送信し、タグ識別情報に基づいてデータベースから読み出した評価情報を受信し表示手段に表示する。
【００４０】
また、サーバは端末識別情報又は評価者識別情報を用いて評価者の認証を行い、登録された評価者であることが認証された場合に評価情報をデータベースに記録する。これによって、不正な評価情報や誤った評価情報の記録を防ぐことができる。
【発明の効果】
【００４１】
本発明の評価システムによれば、評価システムにおいて、評価者は評価情報を随時記録することができる。また、評価者は、被評価対象者が関係者か否かの確認や個人情報の取得を迅速に行うことができる。
【００４２】
また、評価対象者が関係者か否かの確認や、評価の記録を当事者に知られることなく行うことができる。
【発明を実施するための最良の形態】
【００４３】
以下、本発明の実施の形態について、図を用いて詳細に説明する。  
【００４４】
図１，２を用いて本発明の評価システムの第１の形態の概略構成を説明する。第１の形態は、携帯端末において評価情報を入力し、評価情報を評価対象者が携行する無線ＩＤタグのタグ識別情報と共にサーバに送って記録するものである。
【００４５】
図１（ａ）において、評価システム１は、携帯端末３とサーバ４から構成される。携帯端末３は、無線ＩＤタグ２からタグ識別情報１０を取得し、取得したタグ識別情報１０と共に評価情報１３をサーバ４に送る。サーバ４は、携帯端末３から送られた評価情報１３をタグ識別情報１０と対応付けて記録する。
【００４６】
また、図１（ｂ）において、評価システム１は、携帯端末３とサーバ４から構成される。携帯端末３は評価情報１３を無線ＩＤタグ２に送り、無線ＩＤタグ２は送られた評価情報１３を記録する。サーバ４は、無線ＩＤタグ２に記録されている評価情報１３をタグ識別情報１０と共に読み出し、読み出した評価情報１３をタグ識別情報１０と対応付けて記録する。
【００４７】
無線ＩＤタグ２は、無線通信によって記録情報の読み出し、あるいは情報の書き込みを行うことができる通信機能を備える電子記録媒体であり、ここでは、各無線ＩＤタグを識別するために各無線ＩＤタグに固有に設定されたタグ識別情報が記録されている。このタグ識別情報は特定の所有者と対応付けられており、タグ識別情報から所有者を特定することができる。
【００４８】
タグ識別情報１０は無線ＩＤタグ２と一対一で定められ、各無線ＩＤタグ２は特定の所有者のみが携行する。これにより、固有の無線ＩＤタグ２を携行する所有者は、無線ＩＤタグ２に記録されたタグ識別情報１０により特定することができる。
【００４９】
したがって、評価対象者に対して付された評価情報１３は、その評価対象者が携行する無線ＩＤタグ２に記録されているタグ識別情報１０と関連付けて記録することによって、その評価対象者に対する評価情報であることを特定することができる。
【００５０】
また、図２は、携帯端末３とサーバ４との間でやり取りする情報として、タグ識別情報１０及び評価情報１３に加えて関係者情報１１を含む構成を示している。
【００５１】
図２において、サーバ４に記録される関係者情報１１は、タグ識別情報１０を検索キーとして抽出されて携帯端末３に送られる。携帯端末１では、この関係者情報１１を表示することによって、評価対象者の個人情報を知ることができる。
【００５２】
ここで、関係者は会社等の組織や集まりを構成する者であり、評価者はこの関係者を評価対象者として評価を行う。評価者が評価対象者に付した評価情報１３は、サーバ４においてその評価対象者の固有のタグ識別情報１０と共に記録する。これにより、タグ識別情報１０を共通項として関係者情報１１と評価情報１３とを関連付け、タグ識別情報１０から関係者情報１１及び／又は評価情報１３を抽出することができる。
【００５３】
図３は図１（ａ）に示す概略構成の各部の構成例である。
【００５４】
図３において、無線ＩＤタグ２は、送受信手段２ａ，応答処理手段２ｂ，記録手段２ｃを備える。  
【００５５】
送受信手段２ａは、携帯端末３との間で無線通信を行って、記録手段２ｃに記録するタグ識別情報１０を送信する。なお、送受信手段２ａは、無手順で常にタグ識別情報１０を送信する態様とすることも、あるいは、送信携帯端末３からの送信要求を受けたときにタグ識別情報１０を送信する態様とすることもできる。
【００５６】
応答処理手段２ｂは、携帯端末３からの送信要求に基づいてタグ識別情報１０を送信する場合に要する手段であり、携帯端末３との間で通信を確立するための処理や、通信を確立した後に携帯端末からの送信要求を受けてタグ識別情報１０を記録手段２ｃから読み出す処理、送受信手段２ａを介してタグ識別情報１０を送信する処理等の応答処理を行う。応答処理手段２ｂは、通信確立の処理を行うプログラムを備え、所定のプロトコルに従って携帯端末３との間で通信を行う。
【００５７】
記録手段２ｃは、無線ＩＤタグ２を識別するために無線ＩＤタグに固有に定められたタグ識別情報１０を記録する。記録されたタグ識別情報１０の読み出しは、無線ＩＤタグに設定された所定周期で常時行うことも、あるいは携帯端末からの送信要求に応じて行うこともできる。
【００５８】
携帯端末３は、第１通信手段３Ａ，第２通信手段３Ｂ，記録手段３ｇ，及び入力手段３ｉを備える。
【００５９】
第１通信手段３Ａは無線ＩＤタグ２との間で通信を行ってタグ識別情報１０を取得する手段であり、応答要求手段３ａ，受信手段３ｂ，タグ識別情報抽出手段３ｃを備える。
【００６０】
応答要求手段３ａは、無線ＩＤタグ２との間において通信を確立し、タグ識別情報を要求する手段である。無線ＩＤタグ２との間で行う通信確立は、所定のプロトコルに従って行われ、通信が確立した後に無線ＩＤタグ２に記録されるタグ識別情報の送信を要求する要求信号を送る。なお、無線ＩＤタグ２からタグ識別情報が常時送信されている場合には、この応答要求手段３ａは不要である。
【００６１】
受信手段３ｂは、無線ＩＤタグ２からの送信信号を受信する手段である。タグ識別情報抽出手段３ｃは、受信手段３ｂで受信した信号に中からタグ識別情報１０を抽出する手段である。抽出されたタグ識別情報１０は記録手段３ｇに記録される。記録手段３ｇは、抽出されたタグ識別情報１０を一時的に記録する他、携帯端末３に固有に設定された端末識別情報１２、評価者と特定する評価者識別情報１４等が記録されている。また、記録手段３ｇは、入力手段３ｉから入力された評価情報１３をサーバ４に送るまでの間一時的に記録する。
【００６２】
第２通信手段３Ｂは、送信手段３ｄを備える。送信手段３ｄは、サーバ４に送信を行う手段であり、構内ＬＡＮ等の通信網を介してサーバ４に接続を行った後、記録手段３ｇに記録されているタグ識別情報１０、端末識別情報１２及び／又は評価者識別情報１４、評価情報１３を送信する。
【００６３】
サーバ４は、送受信手段４ａ，識別情報照合手段４ｂ，情報管理手段４ｃ，データベース４ｄ，評価情報書き込み手段４ｆを備える。
【００６４】
送受信手段４ａは、携帯端末３との間で信号を送受信する手段であり、携帯端末３からタグ識別情報１０、端末識別情報１２及び／又は評価者識別情報１４、評価情報１３を受信する。
【００６５】
識別情報照合手段４ｂは、送受信手段４ａで受信した端末識別情報１２又は評価者識別情報１４をデータベース４ｄに記録される端末識別情報１２又は評価者識別情報１４と照合し、通信相手の携帯端末３が登録された携帯端末であるか、あるいは通信相手が登録された評価者であるかを確認する。
【００６６】
情報管理手段４ｃはデータベース４ｄに対する情報の読み出し及び書き込みを管理する手段であり、識別情報照合手段４ｂからの要求に基づいて端末識別情報１２又は評価者識別情報１４の読み出しを行い、また、評価情報書き込み手段４ｆからの要求に基づいて評価者情報の書き込みを行う。
【００６７】
データベース４ｄは、タグ識別情報１０，端末識別情報１２，評価情報１３，評価者識別情報１４等の情報を記録する手段である。
【００６８】
また、図４は図２に示す概略構成の各部の構成例である。図４に示す構成例は上記した図３の構成例において関係者情報に係わる構成を含む点で相違しているが、その他の構成については共通である。以下、共通する構成については説明を省略し、関係者情報に係わる構成についてのみ説明する。
【００６９】
図４において、携帯端末３は、第１通信手段３Ａ，記録手段３ｇ，入力手段３ｉに加えて表示手段３ｈを備え、第２通信手段３Ｂは、送信手段３ｄに加えて受信手段３ｅ及び関係者情報取得手段３ｆを備える。
【００７０】
受信手段３ｅは、サーバ４からの送信信号を受信する手段であり、構内ＬＡＮ等の通信網を介してサーバ４から送信された関係者情報を受信する。
【００７１】
関係者情報取得手段３ｆは、受信手段３ｅによってサーバ４からの受信信号から関係者情報１１を取り出す。関係者情報取得手段３ｆで取得した関係者情報１１は、記録手段３ｇの一時的に記録される。
【００７２】
表示手段３ｈは、記録手段３ｇから関係者情報１１を読み出して表示画面上に表示する。関係者情報１１に顔写真等の画像情報が含まれる場合には、表示画面上に顔写真が表示され、また、関係者情報１１に文字情報が含まれる場合には、表示画面上に示し氏名、所属等の個人情報が表示される。
【００７３】
図５は、携帯端末の表示例の一例を示している。図５（ａ）において、携帯端末３が備える表示画面３ｊには、サーバ４から取得した文字情報１１ａや画像情報１１ｂが表示される。なお、画像情報１１ｂは静止画像あるいは動画像を表す情報とすることができる。
【００７４】
また、図５（ｂ）は、評価情報を入力するための評価入力画面の一例である。携帯端末３が備える表示画面３ｊに表示される評価入力画面３ｋには、評価対象者の識別番号等の識別情報１１ｃと、評価項目１１ｄが表示される。この評価入力画面では、評価項目１１ｄの内で評価者が該当すると考えた評価項目を選択して設定することにより、評価入力を行う。評価項目の選択及び設定は、携帯端末が備えるキーを用いて行うことができる。
【００７５】
サーバ４は、送受信手段４ａ，識別情報照合手段４ｂ，情報管理手段４ｃ，データベース４ｄ，評価情報書き込み手段４ｆに加えて、関係者情報読み出し手段４ｅを備える。
【００７６】
データベース４ｄは、タグ識別情報１０，端末識別情報１２に加えて関係者情報１１を記録している。関係者情報読み出し手段４ｅは、識別情報照合手段４ｂの照合に応じて、タグ識別情報１０を検索キーとしてデータベース４ｄから関係者情報１１を読み出し、送受信手段４ａにより携帯端末３に送信する。
【００７７】
図６は、評価入力画面の一例を示している。図６（ａ），（ｂ）の例では、評価対象者の識別情報１１ｃと評価項目１１ｄが表示され、この評価項目１１ｄの中から評価対象を選択する。図６（ｂ）は挨拶の評価項目１１ｅを選択した状態を示している。
【００７８】
また、図６（ｃ），（ｄ）の例では、評価対象者の識別情報１１ｃと評価項目１１ｄが表示され、各評価項目１１ｄには評価段階１１ｆ（ここでは、Ａ，Ｂ，Ｃの評価段階を示している）が設定されている。図６（ｄ）は挨拶の評価項目１１ｅにおいてＡの評価段階１１ｇを選択した状態を示している。
【００７９】
なお、評価段階の選択に代えて評価レベルを表す数値を設定することもできる。この場合には、携帯端末が備える入力キーから数値を入力することにより設定することができる。
【００８０】
図７はタグ識別情報，端末識別情報，関係者情報，評価情報のデータ例の一例を説明するための図である。
【００８１】
図７（ａ）はタグ識別情報の一例を示し、図７（ｂ）は端末識別情報の一例を示し、図７（ｃ）は関係者情報の一例を示し、図７（ｄ）は評価情報の一例を示している。
【００８２】
図７（ａ）はタグ識別情報の一例であり、タグ識別情報は無線ＩＤタグに固有に定められた値を備える。このタグ識別情報は、所定のグループに分類分けすることができ、例えば、データ部分を無線ＩＤタグに個別の部分と、部や課の分類分けの部分に分け、個別の部分にはタグ識別情報に固有のコードを付し、部や課の分類分けの部分には各部や課に対応して設定されたコードを付することもできる。
【００８３】
図７（ｂ）は端末識別情報の一例であり、携帯端末等の端末機器毎に定められた端末識別情報と共にその端末機器の所有者に付された識別番号を記録する他、氏名や所属の情報を記録してもよい。
【００８４】
図７（ｃ）は関係者情報の一例であり、無線ＩＤタグに付されたタグ識別情報と対応付けて、関係者に係わる個人情報を記録する。関係者に係わる個人情報としては、例えば、関係者に固有の設定された識別番号、氏名、所属等の文字情報を記録する他、画像情報として関係者の顔写真等のイメージデータを記録することができる。なお、画像情報は静止画の画像情報に限らず、動画の画像情報とすることもできる。
【００８５】
なお、無線ＩＤタグと携帯端末との間の通信を、Bluetooth（登録商標）の近距離無線通信で行う場合には、無線ＩＤタグに設定されたBluetoothアドレスを用いることもできる。  
【００８６】
図７（ｄ）は評価情報の一例であり、タグ識別情報あるいは識別番号と関連付けて評価項目や評価段階の情報を記録する。また、評価情報には評価者情報を付加させることもでき、評価者が複数いる場合には、どの評価者による評価であるかを知ることができる。
【００８７】
関係者情報読み出し手段４ｅは、タグ識別情報１０に対応する関係者情報１２をデータベース４ｄから読み出す手段であり、送受信手段４ａからのタグ識別情報１０に基づいてデータベース４ｄを検索して関係者情報１２を読み出し、読み出した関係者情報１２を送受信手段４ａを介して携帯端末３に送る。
【００８８】
なお、関係者情報読み出し手段４ｅは、アクセスしてきた携帯端末３が登録された携帯端末であることの確認信号を識別情報照合手段４ｂから受けた後に行うようにしてもよい。
【００８９】
無線ＩＤタグ，携帯端末，サーバ間の処理について、図８の状態図を用いて説明する。なお、図８中の番号は下記の（  ）に付す番号に対応している。また、以下では、携帯端末から無線ＩＤタグに問い合わせを行って通信を確立する場合について示している。
【００９０】
携帯端末３は、無線ＩＤタグ２との間で通信を確立するために応答要求信号を送信する。この際、送信周波数を順に切り替えて行うことで、周囲にある無線ＩＤタグの何れかと通信を確立することができる（１）。
【００９１】
無線ＩＤタグ２は、携帯端末３から送信された応答要求信号の周波数とタグに設定された周波数が一致すると、応答要求信号を受信する（２）。この後、携帯端末３と無線ＩＤタグ２との間で所定のプロトコルに従ってトランザクション処理を行い通信を確立する（３）。
【００９２】
通信が確立した後、携帯端末３は無線ＩＤタグ２に対してタグ識別情報１０を要求する（４）。無線ＩＤタグ２はタグ識別情報１０の要求を受け、携帯端末３にタグ識別情報１０を送信する（５）。携帯端末３は、無線ＩＤタグ２から送信されたタグ識別情報１０を受信し、記録手段に一時的に記録する（６）。
【００９３】
無線ＩＤタグ２を所有する所有者の顔写真や氏名等の個人情報を取得する場合には、携帯端末３は無線ＩＤタグ２から取得したタグ識別情報を基にしてサーバから関係者情報を取得する。
【００９４】
この関係者情報の取得において、携帯端末３はサーバ４に接続を要求し（７）、端末識別情報１２を送信する（８）。サーバ４は端末識別情報１２を受信し（９）、受信した端末識別情報１２を記録手段に予め登録してある端末識別情報と照合することによって確認を行う（１０）。
【００９５】
携帯端末３は、サーバ４による端末識別情報の確認を受けて、評価情報を入力し（１１）、入力した評価情報１３をタグ識別情報１０と共にサーバに送信する（１２）。サーバ３は、評価情報１３及びタグ識別情報１０を受信し（１３）、記録する（１４）。
【００９６】
また、携帯端末３は、評価対象者について関係者情報を参照して本人を確認した後に評価情報を入力することもできる。
【００９７】
この場合には、携帯端末３は、サーバ４にタグ識別情報１０を送って関係者情報を要求し（２１）、サーバ４のデータベースから読み出した関係者情報を受け取って表示する（２２，２３，２４）。
【００９８】
表示した関係者を参照して評価情報を入力し（２５）、入力した評価情報１３をタグ識別情報１０と共にサーバに送信する（２６）。サーバ３は、評価情報１３及びタグ識別情報１０を受信し（２７）、記録する（２８）。
【００９９】
図９は、携帯端末の処理を説明するためのフローチャートである。携帯端末３は、無線ＩＤタグ２からタグ識別情報１０を取得した後（ステップＳ１）、サーバ４との接続を行い（ステップＳ２）、評価対象者について評価情報を入力し（ステップＳ３）、サーバにタグ識別情報１０，端末識別情報１２，評価情報１３を送る。また、この際に評価者識別情報１４を送ることもできる（ステップＳ４）。
【０１００】
また、図１０は、携帯端末の他の処理を説明するためのフローチャートであり、サーバから関係者情報を取得した後に評価情報を入力する例である。
【０１０１】
携帯端末３は、無線ＩＤタグ２からタグ識別情報１０を取得した後（ステップＳ１１）、サーバ４との接続を行い（ステップＳ１２）、サーバ４にタグ識別情報１０を送って、当該タグ識別情報１０に係わる関係者情報を要求する（ステップＳ１３）。
【０１０２】
携帯端末３は、サーバ４から送信された関係者情報１１を受信し（ステップＳ１４）、表示手段に表示する（ステップＳ１５）。
【０１０３】
表示された関係者情報１１を参照して、評価対象者について評価情報を入力し（ステップＳ１６）、サーバにタグ識別情報１０，端末識別情報１２，評価情報１３を送る。評価者識別情報１４を送っても良い（ステップＳ１７）。
【０１０４】
次に、携帯端末３の周囲に通信可能な無線ＩＤタグが複数ある場合の動作例について説明する。
【０１０５】
本発明の評価システムでは、評価情報をタグ識別情報と関連付けることで記録している。そのため、携帯端末の周囲に無線ＩＤタグを持つ所有者が一人のみ存在し、通信可能な無線ＩＤタグが一つしかない場合であれば、評価対象者と取得したタグ識別情報ないし関係者情報との間に一対一の関係が成り立ち、評価情報とタグ識別情報との対応付けを直ちに行うことができる。
【０１０６】
しかしながら、携帯端末の周囲に無線ＩＤタグを持つ所有者が多数存在し、通信可能な無線ＩＤタグが複数ある場合には、評価対象者と取得したタグ識別情報ないし関係者情報との間の関係を確定することができないため、入力した評価情報とタグ識別情報との対応付け、ないし評価情報と評価対象者との対応付けを行うことができない。
【０１０７】
サーバから取得した関係者情報を参照して評価対象者を識別することもできるが、氏名や所属等の文字情報からなる関係者情報が表示された場合には、その関係者情報に係わる人物が評価対象者であるかを確認することは困難である。
【０１０８】
そこで、本形態では、携帯端末３の周囲に通信可能な無線ＩＤタグが複数ある場合に、これらの無線ＩＤタグからタグ識別情報を取得し、取得した複数のタグ識別情報をサーバに送って、サーバから複数のタグ識別情報に対応する関係者情報を取得し、人物と対応できるように表示することにより、関係者情報と評価対象者との関係を明らかにする。特に、顔写真を表示することで評価対象者の確認を容易とする。
【０１０９】
図１１は複数のタグ識別情報を取得した場合の処理を説明する概略図である。図１１は携帯端末３の周囲に複数の無線ＩＤタグ２Ａ，２Ｂ，２Ｃが存在する例を概略的に示している。各無線ＩＤタグ２Ａ，２Ｂ，２Ｃは、タグ識別情報TGa，TGb，TGcを有している。また、サーバ４は、これらのタグ識別情報TGa，TGb，TGcと、タグ識別情報に対応付けられた関係者情報ａ，ｂ，ｃを記録している。
【０１１０】
携帯端末３は、周囲にある無線ＩＤタグ２Ａ，２Ｂ，２Ｃからタグ識別情報TGa，TGb，TGcを取得すると、これらのタグ識別情報TGa，TGb，TGcをサーバ４に送る。サーバ４は、各タグ識別情報TGa，TGb，TGcに対応する関係者情報ａ，ｂ，ｃを読み出して携帯端末３に送る。
【０１１１】
携帯端末３は、サーバ４から送られた関係者情報ａ，ｂ，ｃを表示手段に順次あるいは選択して、又は一覧で表示する。評価者は、表示手段に表示された関係者情報と人物とを照合することにより確認を行う。このとき、表示手段に顔写真を表示することにより、人物の確認を容易とする。評価対象者を確認した後、評価入力画面に切り替えて、評価情報を入力する。
【０１１２】
関係者情報の表示手段上への表示は、関係者情報を順次表示する形態と、リスト上で関係者情報を選択して表示する形態とすることができる。以下、この形態を図１２，１３のフローチャートを用いて説明する。
【０１１３】
図１２は関係者情報を順次表示する形態を説明するためのフローチャートである。携帯端末３は、無線ＩＤタグからタグ識別情報を取得し（ステップＳ２１）、サーバ４と接続して（ステップＳ２２）、サーバ４にタグ識別情報を送り、関係者情報を要求する（ステップＳ２３）。
【０１１４】
サーバ４から関係者情報を受信し記録する（ステップＳ２４）。記録された関係者情報を順次読み出して表示する（ステップＳ２５）。表示された関係者情報を確認した後、評価対象者であれば評価情報を入力する（ステップＳ２６）。
【０１１５】
他の関係者情報を表示させる場合には（ステップＳ２７）、記録手段から次の関係者情報を選択して読み出し、表示する。新たに選択した評価対象者について、ステップＳ２６に戻って評価情報を入力する（ステップＳ２８、２９）。
【０１１６】
選択した各評価対象者に入力した評価情報を、タグ識別情報や端末識別情報（及び／又は評価者識別情報）と共にサーバに送信する（ステップＳ３０）。
【０１１７】
図１３は関係者情報を選択して表示する形態を説明するためのフローチャートである。携帯端末３は、無線ＩＤタグからタグ識別情報を取得し（ステップＳ３１）、サーバ４と接続して（ステップＳ３２）、サーバ４にタグ識別情報を送り、関係者情報を要求する（ステップＳ３３）。
【０１１８】
サーバ４から関係者情報を受信し記録する（ステップＳ３４）。記録された関係者情報について、関係者リストを作成し（ステップＳ３５）、作成した関係者リストを表示する（ステップＳ３６）。評価者は、表示されて関係者リストから表示する関係者情報を選択する（ステップＳ３７）。携帯端末３は、評価者が関係者リストで選択した関係者情報を表示する（ステップＳ３８）。
【０１１９】
表示された関係者情報を確認した後、評価対象者であれば評価情報を入力する（ステップＳ３９）。
【０１２０】
さらに、別の関係者情報を表示する場合には、上記ステップＳ３７〜３９を繰り返し、新たに選択した関係者情報を表示し、評価情報を入力する（ステップＳ４０）。
【０１２１】
選択した各評価対象者に入力した評価情報を、タグ識別情報や端末識別情報（及び／又は評価者識別情報）と共にサーバに送信する（ステップＳ４１）。
【０１２２】
図１４は関係者リスト及び評価入力画面の表示例を示している。
【０１２３】
図１４（ａ）において、携帯端末３が備える表示画面３ｊには、サーバ４から取得した関係者情報から作成した関係者リスト１１ｈが表示される。評価者は、関係者リスト１１ｈに挙げられた関係者（関係者ａ〜関係者ｄ）から評価対象者を選択する。評価対象者の選択は、携帯端末のキーを用いて行うことができる。
【０１２４】
図１４（ｂ）は、評価対象者を選択した後の評価入力画面を示している。表示画面３ｊには、選択した評価対象者の識別情報１１ｃと評価項目１１ｄが表示され、表示項目を選択して評価を行う。
【０１２５】
次に、本発明の第２に形態について説明する。第２の形態は、無線ＩＤタグとサーバと携帯端末とから構成され、携帯端末で書き込んだ評価情報を無線ＩＤタグに設定されるタグ識別情報と共に無線ＩＤタグを介してサーバに送る形態である。
【０１２６】
図１５は、本発明の第２の形態の概略構成を説明するための概略構成である。
【０１２７】
図１５（ａ）において、評価システム１は、携帯端末３とサーバ４から構成される。携帯端末３は、無線ＩＤタグ２からタグ識別情報１０を取得し、取得したタグ識別情報１０と共に入力した評価情報１３をサーバ４に送る。サーバ４は、携帯端末３から送られた評価情報１３をタグ識別情報１０と対応付けて記録する。
【０１２８】
なお、携帯端末３の周囲に無線ＩＤタグ２が一つしか存在しないといった場合や、あるいは携帯端末３から特定の無線ＩＤタグ２への送信が可能である通信環境が整っている場合には、携帯端末３は無線ＩＤタグ２からのタグ識別情報１０の取得を省略し、評価情報１３のみを無線ＩＤタグ２に送ることもできる。
【０１２９】
オフィス等の環境では、携帯端末３の周囲に通信可能な無線ＩＤタグ２が複数の存在する状態が普通であるため、携帯端末３は無線ＩＤタグ２からタグ識別情報１０を取得し、このタグ識別情報１０と評価情報１３とを組にして無線ＩＤタグ２に送ることにより、評価情報と評価対象者とを対応付けする。
【０１３０】
また、タグ識別情報１０と評価情報１３とを組にして携帯端末３から無線ＩＤタグ２に送ることによって、タグ識別情報１０と評価情報１３とを受ける無線ＩＤタグ２は、当該評価を受ける評価対象者が所有する無線ＩＤタグ２である必要はなく、任意の無線ＩＤタグとしてもよく、受信した無線ＩＤタグに記録されるタグ識別情報１０と評価情報１３とをペアにして読み出すことで、評価情報１３と評価対象者との対応関係を確認することができる。
【０１３１】
図１５（ｂ）は、無線ＩＤタグ２に記録した評価情報１３及びタグ識別情報１０は、サーバ３に読み出される。サーバは、タグ識別情報１０を基に付与された評価情報１３がどの評価対象者に関するものであるかを確認することができる。
【０１３２】
図１６は、無線ＩＤタグ及び携帯端末との関係、及び構成例を説明するための図である。
【０１３３】
図１６において、無線ＩＤタグ２は、図３，４に示した無線ＩＤタグと同様に、送受信手段２ａ，応答処理手段２ｂ，記録手段２ｃを備える。  
【０１３４】
送受信手段２ａは、携帯端末３との間で無線通信を行って、記録手段２ｃに記録するタグ識別情報１０を送信する。なお、送受信手段２ａは、無手順で常にタグ識別情報１０を送信する態様とすることも、あるいは、送信携帯端末３からの送信要求を受けたときにタグ識別情報１０を送信する態様とすることもできる。さらに、送受信手段２ａは、携帯端末３から送られた評価情報１３を受信する。また、携帯端末３から評価者識別情報１４が送信さえる場合には、この評価者識別情報１４を受信してもよい。
【０１３５】
応答処理手段２ｂは、携帯端末３からの送信要求に基づいてタグ識別情報１０を送信する場合に要する手段であり、携帯端末３との間で通信を確立するための処理や、通信を確立した後に携帯端末からの送信要求を受けてタグ識別情報１０を記録手段２ｃから読み出す処理、送受信手段２ａを介してタグ識別情報１０を送信する処理等の応答処理を行う。応答処理手段２ｂは、通信確立の処理を行うプログラムを備え、所定のプロトコルに従って携帯端末３との間で通信を行う。
【０１３６】
記録手段２ｃは、無線ＩＤタグ２を識別するために無線ＩＤタグに固有に定められたタグ識別情報１０を記録する。記録されたタグ識別情報１０の読み出しは、無線ＩＤタグに設定された所定周期で常時行うことも、あるいは携帯端末からの送信要求に応じて行うこともできる。
【０１３７】
また、記録手段２ｃは、携帯端末３から送られた評価情報１３を記録する。この評価情報１３の記録において、評価情報１３が無線ＩＤタグ２の所有者に対する評価情報である場合には、記録手段２ｃに記録される評価情報１３は全て同じタグ識別情報１０に対応する評価情報であって、目的とする評価対象者の評価情報であるから、タグ識別情報１０との対応付けは省略することができる。
【０１３８】
なお、無線ＩＤタグ２において、受信した評価情報１３が対応する評価対象者に対する評価情報１３であるか否かは、例えば、応答処理手段２ｂにおいて、タグ識別情報を指標として判定することができる。
【０１３９】
なお、無線ＩＤタグ２において、任意の評価対象者に対する評価情報を受信し記録する場合には、タグ識別情報１０と評価情報１３とを関連付けて記録する。
【０１４０】
一方、携帯端末３は、第１通信手段３Ａ，記録手段３ｇ，及び入力手段３ｉを備える。
【０１４１】
第１通信手段３Ａは無線ＩＤタグ２との間で通信を行ってタグ識別情報１０の受信、及び評価情報の送信を行う手段であり、応答要求手段３ａ，受信手段３ｂ，タグ識別情報抽出手段３ｃを備える。
【０１４２】
応答要求手段３ａは、無線ＩＤタグ２との間において通信を確立し、タグ識別情報を要求する手段である。無線ＩＤタグ２との間で行う通信確立は、所定のプロトコルに従って行われ、通信が確立した後に無線ＩＤタグ２に記録されるタグ識別情報の送信を要求する要求信号を送る。なお、無線ＩＤタグ２からタグ識別情報が常時送信されている場合には、この応答要求手段３ａは不要である。
【０１４３】
送受信手段３ｂ′は、無線ＩＤタグ２からの送信信号を受信し、無線ＩＤタグ２に評価情報を送信する手段である。タグ識別情報抽出手段３ｃは、送受信手段３ｂ′で受信した信号に中からタグ識別情報１０を抽出する手段である。抽出されたタグ識別情報１０は記録手段３ｇに記録される。記録手段３ｇは、抽出されたタグ識別情報１０を一時的に記録する他、携帯端末３に固有に設定された端末識別情報１２、評価者と特定する評価者識別情報１４等が記録されている。また、記録手段３ｇは、入力手段３ｉから入力された評価情報１３を無線ＩＤタグ２に送るまでの間一時的に記録することもできる。
【０１４４】
送受信手段３ｂ′は、評価情報１３をタグ識別情報１０と共に送信する。このとき、評価者を特定するために、端末識別情報１２及び／又は評価者識別情報１４を送信してもよい。
【０１４５】
図１７は、無線ＩＤタグ、リーダライタ、及びサーバとの関係、及び構成例を説明するための図である。
【０１４６】
図１７において、無線ＩＤタグ２は、図３，４，１６に示した無線ＩＤタグと同様であるので、ここでは説明を省略する。
【０１４７】
リーダライタ５は、無線ＩＤタグ２に記録される評価情報１３，タグ識別情報１０，評価者識別情報１４（及び／又は端末識別情報１２）を読み出し、サーバ４に送る手段であり、受信手段５ａ，記録手段５ｃ，送信手段５ｂを備える。  
【０１４８】
受信手段５ａは無線ＩＤタグ２との間で通信を行い、記録手段２ｃに記録されている評価情報１３，タグ識別情報１０，評価者識別情報１４（及び／又は端末識別情報１２）を受信し、記録手段５ｃに記録する。受信手段５ａは無線ＩＤタグ２との間で通信は、所定のプロトコルに従って行うことができる。
【０１４９】
送信手段５ｂはサーバ４の送受信手段４ａと間で通信を行って、記録手段５ｃに記録されている評価情報１３，タグ識別情報１０，評価者識別情報１４（及び／又は端末識別情報１２）をサーバ４に送信する。
【０１５０】
なお、評価者を特定するために、端末識別情報１２及び／又は評価者識別情報１４を送信してもよい。
【０１５１】
サーバ４は、送受信手段４ａ，情報管理手段４ｃ，及びデータベース４ｄを備える。
【０１５２】
送受信手段４ａは、リーダライタ５からの信号を受信する手段であり、リーダライタ５からタグ識別情報１０、端末識別情報１２及び／又は評価者識別情報１４、評価情報１３を受信する。情報管理手段４ｃはデータベース４ｄに対する情報の読み出し及び書き込みを管理する手段であり、評価者情報１３の書き込みを行う。
【０１５３】
無線ＩＤタグ，携帯端末，サーバ間の処理について、図１８の状態図を用いて説明する。なお、図１８中の番号は下記の（  ）に付す番号に対応している。また、以下では、携帯端末から無線ＩＤタグに問い合わせを行って通信を確立する場合について示している。
【０１５４】
携帯端末３は、無線ＩＤタグ２との間で通信を確立するために応答要求信号を送信する。この際、送信周波数を順に切り替えて行うことで、周囲にある無線ＩＤタグの何れかと通信を確立することができる（３１）。
【０１５５】
無線ＩＤタグ２は、携帯端末３から送信された応答要求信号の周波数とタグに設定された周波数が一致すると、応答要求信号を受信する（３２）。この後、携帯端末３と無線ＩＤタグ２との間で所定のプロトコルに従ってトランザクション処理を行い通信を確立する（３３）。
【０１５６】
ここでは、無線ＩＤタグ２内に関係者情報が記録されており、携帯端末側においてこの関係者情報を参照する場合について説明する。
【０１５７】
携帯端末３は、無線ＩＤタグ２にタグ識別情報１０を要求する（４１）。無線ＩＤタグ２は、タグ識別情報の要求を受けてタグ識別情報１０を送信する（４２）。携帯端末３は、タグ識別情報１０を受信する（４３）。なお、評価情報１３の送信において、評価情報のみを送信しタグ識別情報１０を付加しない場合には上記（４１）〜（４３）の工程は省略することができる。
【０１５８】
また、無線ＩＤタグ２内に関係者情報が記録されており、この関係者情報を参照する場合には、携帯端末３は無線ＩＤタグ２に関係者情報１１を要求する（４４）。無線ＩＤタグ２は、関係者情報の要求を受けて関係者情報１１を送信する（４５）。携帯端末３は、関係者情報１１を受信し（４６）、表示手段に表示して評価対象者の確認を行う（４７）。なお、無線ＩＤタグ２内に関係者情報が記録されていない場合には上記（４４）〜（４７）の工程は行わない。
【０１５９】
携帯端末３において、評価情報１３を入力し（４８）、無線ＩＤタグ２に送信する。この評価情報１３の送信においてタグ識別情報１０を送信することによって、評価対象者と評価情報１３とを対応付けることができる。また、評価情報１３の送信において評価者識別情報１４を送信することによって、評価者と評価情報１３とを対応付けることができる。
【０１６０】
無線ＩＤタグ２は、携帯端末３から送信された評価情報１３（及びタグ識別情報１０，評価者識別情報１４）を受信し（５０）、記録手段に記録する（５１）。
【０１６１】
無線ＩＤタグ２に記録された評価情報１３（及びタグ識別情報１０，評価者識別情報１４）は、リーダライタを介してサーバ４に送られる（６１，６２）、サーバ４のデータベースに記録される（６３）。
【０１６２】
図１９は、携帯端末の処理を説明するためのフローチャートである。携帯端末３は、無線ＩＤタグ２からタグ識別情報１０を取得した後（ステップＳ４１）、必要があれば、関係者情報を取得し（ステップＳ４２）、取得した関係者情報を表示する（ステップＳ４３）。
【０１６３】
携帯端末において、評価対象者について評価情報を入力し（ステップＳ４４）、無線ＩＤタグ２に評価情報１３を送る。評価情報１３の他、タグ識別情報１０，端末識別情報１２や評価者識別情報１４を送ってもよい（ステップＳ４５）。
【０１６４】
また、図２０は、サーバへの評価情報の送信を説明するためのフローチャートである。リーダライタは、無線ＩＤタグ２の記録手段に記録している評価情報１３、タグ識別情報１０、端末識別情報１２及び／又は評価者識別情報１４を読み出す（ステップＳ５１）。リーダライタはサーバと接続し（ステップＳ５２）、読み出した各情報をサーバに送信する（ステップＳ５３）。
【０１６５】
なお、リーダライタは任意の場所に設置することができる。例えば、本発明の評価システムを社内に適用する場合には、社内外を仕切っているゲート部分に設けることにより、少なくとも社員の退社時に無線ＩＤタグに記録されている評価情報を読み出すことができる。
【産業上の利用可能性】
【０１６６】
本発明の評価システムは、社員の評価に限らず、所員、職員、局員、会員、スタッフなどの評価に適応することができる。
【０１６７】
また、本発明の評価システムは、試験場において、各受験者に無線ＩＤタグを貸与し、評価情報として受験状態情報を記録することによって、受験者及び受験会場の管理に適用することもできる。
【０１６８】
また、本発明の評価システムは、家畜の飼育場において、家畜に無線ＩＤタグを取り付け、評価情報として家畜の健康情報や飼育情報の情報を記録することによって、家畜や飼育場の管理に適用することもできる。
【図面の簡単な説明】
【０１６９】
【図１】本発明の評価システムの第１の形態の概略構成を説明するための図である。
【図２】本発明の評価システムの第１の形態の概略構成を説明するための図である。
【図３】本発明の評価システムの第１の形態の概略構成の各部の構成例を説明するための図である。
【図４】本発明の評価システムの第１の形態の概略構成の各部の構成例を説明するための図である。
【図５】本発明の評価システムの携帯端末の表示例の一例を示す図である。
【図６】本発明の評価システムの携帯端末の評価入力画面の一例を示す図である。
【図７】本発明の評価システムのタグ識別情報，端末識別情報，関係者情報，評価情報のデータ例を説明するための図である。
【図８】本発明の評価システムの無線ＩＤタグ，携帯端末，サーバ間の処理の状態図である。
【図９】本発明の評価システムの携帯端末の処理を説明するためのフローチャートである。
【図１０】本発明の評価システムの携帯端末の他の処理を説明するためのフローチャートである。
【図１１】本発明の評価システムの複数のタグ識別情報を取得した場合の処理を説明する概略図である。
【図１２】本発明の評価システムの関係者情報を順次表示する形態を説明するためのフローチャートである。
【図１３】本発明の評価システムの関係者情報を選択して表示する形態を説明するためのフローチャートである。
【図１４】本発明の評価システムの関係者リスト及び評価入力画面の表示例である。
【図１５】本発明の評価システムの第２の形態の概略構成を説明するための概略構成である。
【図１６】本発明の評価システムの無線ＩＤタグ及び携帯端末との関係、及び構成例を説明するための図である。
【図１７】本発明の評価システムの無線ＩＤタグ、リーダライタ、及びサーバとの関係、及び構成例を説明するための図である。
【図１８】本発明の評価システムの無線ＩＤタグ，携帯端末，サーバ間の処理の状態図である。
【図１９】本発明の評価システムの携帯端末の処理を説明するためのフローチャートである。
【図２０】本発明の評価システムのサーバへの評価情報の送信を説明するためのフローチャートである。
【符号の説明】
【０１７０】
１  評価システム
２，２Ａ，２Ｂ，２Ｃ  無線ＩＤタグ
２ａ  送受信手段
２ｂ  応答処理手段
２ｃ  記録手段
３  携帯端末
３Ａ  第１通信手段
３Ｂ  第２通信手段
３ａ  応答要求手段
３ｂ  受信手段
３ｂ′  送受信手段
３ｃ  タグ識別情報抽出手段
３ｄ  送信手段
３ｅ  受信手段
３ｆ  関係者情報取得手段
３ｇ  記録手段
３ｈ  表示手段
３ｉ  入力手段
３ｊ  表示画面
４  サーバ
４ａ  送受信手段
４ｂ  端末識別情報照合手段
４ｃ  情報管理手段
４ｄ  データベース
４ｅ  関係者情報読み出し手段
４ｆ  評価情報書き込み手段
５  リーダライタ
５ａ  受信手段
５ｂ  送信手段
５ｃ  記録手段
１０  タグ識別情報
１１  関係者情報
１１ａ  文字情報
１１ｂ  画像情報
１１ｃ  識別情報
１１ｄ，１１ｅ  評価項目
１１ｆ，１１ｇ  評価段階
１１ｈ  関係者リスト
１２  端末識別情報
１３  評価情報
１４  評価者識別情報
【図１】
2005149356.tif 000003
【図２】
2005149356.tif 000004
【図３】
2005149356.tif 000005
【図４】
2005149356.tif 000006
【図５】
2005149356.tif 000007
【図６】
2005149356.tif 000008
【図７】
2005149356.tif 000009
【図８】
2005149356.tif 000010
【図９】
2005149356.tif 000011
【図１０】
2005149356.tif 000012
【図１１】
2005149356.tif 000013
【図１２】
2005149356.tif 000014
【図１３】
2005149356.tif 000015
【図１４】
2005149356.tif 000016
【図１５】
2005149356.tif 000017
【図１６】
2005149356.tif 000018
【図１７】
2005149356.tif 000019
【図１８】
2005149356.tif 000020
【図１９】
2005149356.tif 000021
【図２０】
2005149356.tif 000022